(57)【要約】      （修正有）【課題】構造が簡易で、あらゆるガスを含む液体を即時に高圧混合できるガス液即時高圧混合装置を提供する。【解決手段】少なくとも１つの外管１１と、少なくとも１つの内管１２と、少なくとも１つの加圧パイプ１３とを備える。外管は吸気口１１１と、入水口１１２と、内径とを有する。内管は内径及び外管の内径に等しい外径を含む。加圧パイプはスルーホールと、内管の内径に等しい第一外径と、外管の内径に等しい第二外径とを具備する。加圧パイプは第二外径が内管の一端の外径上に当接するように設置され、第一外径が内管の内径中に設置され、内管と共に外管の内径中に設置される。外管がガスソース及び液体ソースに連結されることにより、ガス及び液体が外管中で混合され、且つ内管及び加圧パイプを通過する際に、加圧パイプのスルーホールと内管の内径比率、及び／または加圧パイプのスルーホールの内径と長さとの比率に基づいて高圧混合を生じさせる。【選択図】図１Ｂ
0003209648.tif 000002
【実用新案登録請求の範囲】
【請求項１】
吸気口と、入水口と、内径とを有する少なくとも１つの外管と、
内径及び前記少なくとも１つの外管の前記内径に等しい外径を有する少なくとも１つの内管と、
スルーホールと、前記少なくとも１つの内管の前記内径に等しい第一外径と、前記少なくとも１つの外管の前記内径に等しい第二外径とを有する少なくとも１つの加圧パイプとを備え、
前記少なくとも１つの加圧パイプは前記第二外径が前記少なくとも１つの内管の一端の前記外径上に当接させるように設置され、前記第一外径が前記少なくとも１つの内管の前記内径中に設置され、且つ前記少なくとも１つの内管と共に前記少なくとも１つの外管の前記内径中に設置され、
前記少なくとも１つの外管がガスソース及び液体ソースに連結されることにより、ガス及び液体が前記少なくとも１つの外管中で混合され、且つ前記少なくとも１つの加圧パイプ及び前記少なくとも１つの内管を通過させる際に、前記少なくとも１つの加圧パイプの前記スルーホールの内径と前記少なくとも１つの内管の前記内径との比率に基づいて、及び／または前記少なくとも１つの加圧パイプの前記スルーホールの前記内径と前記スルーホールの長さとの比率に基づいて高圧混合を生じさせることを特徴とする、
ガス液即時高圧混合装置。
【請求項２】
前記少なくとも１つの内管の前記内径と前記少なくとも１つの加圧パイプの前記スルーホールの前記内径との比率の範囲は２：１から４：１の間であることを特徴とする、請求項１に記載のガス液即時高圧混合装置。
【請求項３】
前記少なくとも１つの加圧パイプの前記スルーホールの前記長さと前記少なくとも１つの加圧パイプの前記スルーホールの前記内径との比率の範囲は４：１から６：１の間であることを特徴とする、請求項１に記載のガス液即時高圧混合装置。
【請求項４】
前記ガスソースとして、水素、酸素及び／または二酸化炭素を含み、前記液体ソースとして、水を含むことを特徴とする、請求項１に記載のガス液即時高圧混合装置。
【請求項５】
前記ガスソースは電解、ガスボンベまたは化学反応を経て発生することを特徴とする、請求項４に記載のガス液即時高圧混合装置。
【請求項６】
前記ガスソース、前記液体ソース、及び前記少なくとも１つの外管の間に連結されるガス液混合ポンプを更に備えることを特徴とする、請求項４に記載のガス液即時高圧混合装置。
【請求項７】
前記ガス液混合ポンプと前記液体ソースとの間、前記ガス液混合ポンプと前記ガスソースとの間、及び前記ガス液混合ポンプと前記少なくとも１つの外管との間に設置され、液体流出のフローの調節、ガス流出のフローの調節、及びガスと液体を混合するフローの調節に用いられる少なくとも１つの調節弁を更に備えることを特徴とする、請求項６に記載のガス液即時高圧混合装置。
【請求項８】
前記ガス液混合ポンプと前記少なくとも１つの外管に連結される前記調節弁との間に設置され、前記ガスと前記液体を混合するフローの検出に用いられるフロー検出器を更に備えることを特徴とする、請求項７に記載のガス液即時高圧混合装置。
【請求項９】
前記少なくとも１つの調節弁と前記ガスソースとの間に連結され、前記ガス流出のフローの調節に用いられる少なくとも１つの圧力逃し弁を更に備えることを特徴とする、請求項８に記載のガス液即時高圧混合装置。
【請求項１０】
前記フロー検出器、前記少なくとも１つの圧力逃し弁及び／または前記少なくとも１つの調節弁に接続され、前記ガスと前記液体を混合するフローの検出に基づいて前記フロー検出器、前記少なくとも１つの圧力逃し弁及び／または前記少なくとも１つの調節弁を制御させるための制御器を更に備えることを特徴とする、請求項９に記載のガス液即時高圧混合装置。
【請求項１１】
前記少なくとも１つの調節弁に連結される少なくとも１つのウェアラブルデバイスを更に備えることを特徴とする、請求項７に記載のガス液即時高圧混合装置。
【請求項１２】
前記少なくとも１つのウェアラブルデバイスはアイマスク式装置、フェースマスク式装置、またはヘルメット式装置を含むことを特徴とする、請求１１に記載のガス液即時高圧混合装置。
【考案の詳細な説明】
【技術分野】
【０００１】
本考案は、ガス液混合装置に関し、より詳しくは、ガス液即時高圧混合装置に関する。
【背景技術】
【０００２】
ガス液混合装置は現在使用者に広く使用されている設備の一つであり、市場には多くの類似製品が存在する。
【考案の概要】
【考案が解決しようとする課題】
【０００３】
しかしながら、従来のガス液混合装置、すなわち、現在市場に出回っている様々なガス液混合装置の構造設計は皆複雑過ぎ、且つ高圧混合効果を達成できない。
【０００４】
そこで、本考案者は上記の欠点が改善可能と考え、鋭意検討を重ねた結果、合理的設計で上記の課題を効果的に改善する本考案のガス液即時高圧混合装置の提案に到った。
【０００５】
本考案は、このような従来の問題に鑑みてなされたものである。上記課題解決のため、本考案は、ガス液即時高圧混合装置を提供することを目的とする。
【課題を解決するための手段】
【０００６】
上述した課題を解決し、目的を達成するための本考案に係るガス液即時高圧混合装置は、少なくとも１つの外管と、少なくとも１つの内管と、少なくとも１つの加圧パイプとを備える。外管は吸気口と、入水口と、内径とを有する。内管は両端と、内径と、外管の内径に等しい外径とを含む。加圧パイプはスルーホールと、内管の内径に等しい第一外径と、外管の内径に等しい第二外径とを具備する。加圧パイプは第二外径が内管の一端の外径上に当接させるように設置され、第一外径が内管の内径中に設置され、且つ内管と共に外管の内径中に設置される。外管がガスソース及び液体ソースに連結されることにより、ガス及び液体が外管中で混合され、且つ内管及び加圧パイプを通過させる際に、加圧パイプのスルーホールの内径と内管の内径との比率に基づいて、及び／または加圧パイプのスルーホールの内径とスルーホールの長さとの比率に基づいて高圧混合を生じさせる。
【考案の効果】
【０００７】
本考案のガス液即時高圧混合装置は、構造が簡易で低コストな設計により、様々なガスソース及び液体ソースに連結されて使用され、且つ液体及びガスのフローの自動検出、調節及び制御を行う。また、使用者の需要に合わせて、あらゆるガスを含む液体を即時に高圧混合させ、使用者に効果的且つ高速に、便利に使用される。
【図面の簡単な説明】
【０００８】
【図１Ａ】本考案に係るガス液即時高圧混合装置を説明する外観斜視図である。
【図１Ｂ】本考案に係るガス液即時高圧混合装置を説明する分解図である。
【図１Ｃ】本考案に係るガス液即時高圧混合装置を説明する側面図である。
【図１Ｄ】本考案に係るガス液即時高圧混合装置の加圧パイプを説明する側面図である。
【図２】本考案に係るガス液即時高圧混合装置がガス及び液体を接続するブロック図である。
【図３】本考案に係るガス液即時高圧混合装置が調節弁を設置するブロック図である。
【図４】本考案に係るガス液即時高圧混合装置がウェアラブルタイプの水素システムを接続するブロック図である。
【考案を実施するための形態】
【０００９】
以下に図面を参照して、本考案を実施するための形態について、詳細に説明する。なお、本考案は、以下に説明する実施形態に限定されるものではない。
【実施例】
【００１０】
以下、本考案の実施形態について、図面を参照しながら説明する。図１Ａは本考案に係るガス液即時高圧混合装置を説明する外観斜視図であり、図１Ｂは本考案に係るガス液即時高圧混合装置を説明する分解図であり、図１Ｃは本考案に係るガス液即時高圧混合装置を説明する側面図である。
【００１１】
ガス液即時高圧混合装置１は、少なくとも１つの外管１１と、少なくとも１つの内管１２と、少なくとも１つの加圧パイプ１３とを備える。
外管１１は吸気口１１１と、入水口１１２と、内径１１Ｄとを有する。内管１２は内径１２ＤＩ及び外管の内径１１Ｄに等しい外径１２ＤＯを含む。加圧パイプ１３はスルーホール１３１と、内管の内径１２ＤＩに等しい第一外径１３ＤＯ１と、外管の内径１１Ｄに等しい第二外径１３ＤＯ２とを具備する。
加圧パイプ１３は第二外径１３ＤＯ２が内管１２の一端の外径１２ＤＯ上に当接させるように設置され、第一外径１３ＤＯ１が内管の内径１２ＤＩ中に設置され、且つ内管１２と共に外管の内径１１Ｄ中に設置される。外管１１Ｄがガスソース及び液体ソースに連結されることにより、ガス及び液体が外管１１Ｄ中で混合され、且つ加圧パイプ１３及び内管１２を通過させる際に、加圧パイプ１３のスルーホールの内径１３１Ｄと内管の内径１２ＤＩとの比率に基づいて、及び／または加圧パイプ１３のスルーホールの内径１３１Ｄとスルーホールの長さ１３１Ｌとの比率に基づいて高圧混合を生じさせる。
【００１２】
図１Ｃ及び図１Ｄを参照する。上述したように、最も好ましいガス液混合効果を達成させるため、本考案のある実施例において、少なくとも１つの内管の内径１２ＤＩと少なくとも１つの加圧パイプのスルーホールの内径１３１Ｄとの比率の範囲は２：１から４：１の間であり、少なくとも１つの加圧パイプのスルーホールの長さ１３１Ｌと少なくとも１つの加圧パイプスルーホールの内径１３１Ｄとの比率の範囲は４：１から６：１の間であり、両者は同時に制限されるか、或いは何れか１つの比率が制限されるが、本考案においてはこの限りではない。
このように、混合されたガス及び液体が加圧パイプ１３及び内管１２を通過させると、内径１２ＤＩ、１３１Ｄの大きさと長さ１３１Ｌとの比率の設計により、高圧の与圧室が形成され、最も好ましい高圧混合効果が達成される。
【００１３】
また、ガスソースとして、水素、酸素及び／または二酸化炭素を含み、電解、ガスボンベ、または化学反応を経て発生する。液体ソースとして水を含む。
【００１４】
上述の比率に基づいて設計され、高圧混合された水に含まれる溶解された水素濃度は少なくとも１０００ｐｐｂより大きい。高圧混合された水に含まれる溶解された二酸化炭素濃度は少なくとも１００００００ｐｐｂより大きい。
【００１５】
図２は本考案に係るガス液即時高圧混合装置がガス及び液体を接続するブロック図である。このほか、ガス液即時高圧混合装置１は、ガス液混合ポンプ１４を更に備え、ガスソース１５、液体ソース１６及び少なくとも１つの外管１１の間に連結され、ガス及び液体の吸収が加速される。
【００１６】
図３は本考案に係るガス液即時高圧混合装置が調節弁を設置するブロック図である。ガス液混合ポンプ１４と液体ソース１６との間、ガスソース１５との間、及びガス液即時高圧混合装置１の外管１１との間には少なくとも１つの調節弁１７１、１７２、１７３、１７４が設置され、液体流出のフロー、ガス流出のフロー、及びガスと液体を混合するフローの調節にそれぞれ使用される。
本考案のある実施例において、調節弁１７１、１７２、１７３、１７４は電磁弁または噴射ヘッドを備える。電磁弁にはレストリクタープレートが設置され、レストリクタープレートは異なる大きさを有し、異なる大きさのガス及び／または液体のフローの発生を制御させる。噴射ヘッドは回転式調節噴射ヘッドとして設計され、噴射ヘッドの回転位置に基づいてフローの大きさが制御される。
【００１７】
また、少なくとも１つの調節弁１７３、１７４とガスソース１５との間には少なくとも１つの圧力逃し弁１８１、１８２が設置され、ガス流出のフローの調節に用いられる。
【００１８】
上述したように、ガス液混合ポンプ１４とガス液即時高圧混合装置１の外管１１の間に設置される調節弁１７１との間にはフロー検出器１９が更に設置され、ガスと液体を混合するフローの検出に用いられる。
【００１９】
フロー検出器１９により検出された結果は接続される制御器（図示せず）に伝送され、制御器はガスと液体を混合するフローの検出に基づいてフロー検出器１９の作動を制御させる。また、少なくとも１つの外管１１の吸気口１１１には圧力伝送器（図示せず）が更に連通されるか、またはガス液混合槽となるか、或いは密封部材により吸気口１１１が密封される。
圧力伝送器が連通される場合、圧力伝送器により検出された混合ガス及び液体の圧力値も制御器に伝送される。より詳しくは、ガスソース１５及び／または液体ソース１６の出力フローまたは圧力が異常である場合、例えばフローが過大（漏洩）或いは過小（ソースが閉められている、または調節弁１７１、１７２、１７３、１７４が塞がれている）である場合、ガス液即時高圧混合装置１が作動を停止させる。これにより、制御器はガス液即時高圧混合装置１を閉じ、使用者の安全を確保する。
例えば、フローまたは圧力が過大である場合、制御器は少なくとも１つの圧力逃し弁１８１、１８２が圧力を逃す動作を制御させる。また、各種のガス（例えば水素及び酸素）の混合比率は、フロー検出器１９により検出された結果が制御器に伝送され、制御器は使用者が予め設定した混合比率に基づいて調節及び／または圧力逃しの動作を行う。
【００２０】
本考案のガス液即時高圧混合装置１は様々な設備に応用される。例えば、浴室のシャワーヘッドに応用される場合、ガスソース１５として酸素及び水素が選択される。理髪業に応用される場合、ガス液即時高圧混合装置１が水道管に連結され、且つ水素の出力が選択されると、使用者が洗髪を行う際に水素を吸収できる。または、二酸化炭素ガスの出力が選択されると、流れ出す洗髪用水には二酸化炭素リッチガスが含まれる。或いは、ガス液即時高圧混合装置１がウォーターサーバーに応用される場合、酸素及び／または水素の出力が選択され、且つウォーターサーバーの水出口に連結される。
もしくは、本考案のガス液即時高圧混合装置１は台湾実用新案第Ｍ５２８３１６「ウェアラブルタイプの水素システム」の少なくとも１つのウェアラブルデバイス２１、２２に連結可能であり、アイマスク式装置、フェースマスク式装置またはヘルメット式装置を含み、且つ使用者の需要に基づいて出力されるガスソースが選択され、例えば水素或いは酸素が出力される。連結方式は図４に示し、詳細な内容は前記実用新案を参照する。
【００２１】
以上を総合すると、本考案のガス液即時高圧混合装置は構造が簡易で低コストな設計であり、様々なガスソース及び液体ソースに連結され、且つ液体及びガスのフローを自動的に検出、調節及び制御させる。使用者の需要に合わせて、あらゆるガスを含む液体を即時に高圧混合させ、使用者が効果的且つ高速に、便利に使用できる。
【００２２】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１  ガス液即時高圧混合装置
１９  フロー検出器
１１  外管
１１１  吸気口
１１２  入水口
１１Ｄ  外管の内径
１２  内管
１２ＤＩ  内管の内径
１２ＤＯ  外管の外径
１３  加圧パイプ
１３１  スルーホール
１３１Ｄ  加圧パイプスルーホールの内径
１３１Ｌ  加圧パイプスルーホールの長さ
１３ＤＯ１  加圧パイプ第一外径
１３ＤＯ２  加圧パイプ第二外径
１４  ガス液混合ポンプ
１５  ガスソース
１６  液体ソース
１７１、１７２、１７３、１７４  調節弁
１８１、１８２  圧力逃し弁
２１、２２  ウェアラブルデバイス
【図１Ａ】
0003209648.tif 000003
【図１Ｂ】
0003209648.tif 000004
【図１Ｃ】
0003209648.tif 000005
【図１Ｄ】
0003209648.tif 000006
【図２】
0003209648.tif 000007
【図３】
0003209648.tif 000008
【図４】
0003209648.tif 000009